(57)【要約】【課題】  ＰＤＣ方式の携帯電話機において、待ち受け時における消費電力を低減する。【解決手段】  ＰＤＣ方式において、待ち受け時の間欠受信で受信される情報は、８ビットの信号構成情報が情報本体に対して付加されている。そして、この信号構成情報の各ビットが全て「０」の場合は、情報本体に情報が存在しないことが、規格で規定されている。このため、データディテクタ１２は、受信した信号構成情報の各ビットが全て「０」の場合は、この旨をパワーコントローラ１４及びＣＰＵ１７に伝達する。この場合、パワーコントローラ１４は、受信系や情報処理系に供給する電力を停止制御し、ＣＰＵ１７は起動しない。これにより、情報本体に情報が存在する場合のみ、ＣＰＵ１７を起動させることができ、また、受信処理及び情報処理を行うことができるため、待ち受け時における消費電力を低減することができる。【選択図】  図２
2005159946.tif 000002
【特許請求の範囲】
【請求項１】
一つのブロックの情報から形成された複数のユニットの情報と、各ユニットに対してそれぞれ付加された、少なくとも当該ユニットに含まれるメッセージの有無を示す信号構成情報とを、少なくとも受信する受信手段と、
上記受信手段で受信された上記信号構成情報及び各ユニットの情報に対応する情報処理を行う情報処理手段と、
上記受信手段で受信された、少なくとも上記信号構成情報に基づいて、この信号構成情報が付加されたユニットにメッセージが含まれているか否かを判別する判別手段と、
上記判別手段から、上記メッセージが含まれていることを示す判別結果が供給された場合に起動して、上記受信手段の受信処理及び上記情報処理手段の情報処理を制御する制御手段と
を有する移動体通信端末装置。
【請求項２】
請求項１記載の移動体通信端末装置であって、
上記判別手段から、上記メッセージが含まれていないことを示す判別結果が供給された際に、上記受信手段及び上記情報処理手段に供給する電力を停止制御する電力停止制御手段を有すること
を特徴とする移動体通信端末装置。
【請求項３】
請求項１又は請求項２記載の移動体通信端末装置であって、
電界強度を検出する電界強度検出手段を有し、
上記電力停止制御手段は、上記電界強度検出手段で検出された電界強度が所定の電界強度以上の電界強度であった場合のみ、上記判別手段から、上記メッセージが含まれていないことを示す判別結果が供給された際に、上記受信手段及び上記情報処理手段に供給する電力を停止制御し、
上記制御手段は、上記電界強度検出手段で検出された電界強度が所定の電界強度よりも低い電界強度であった場合は、上記判別手段からの判別結果に関わらず起動して、上記受信手段の受信処理及び上記情報処理手段の情報処理を制御すること
を特徴とする移動体通信端末装置。
【発明の詳細な説明】
【技術分野】
【０００１】
本発明は、例えば携帯電話機，ＰＨＳ電話機（Personal Handyphone System）、或いは無線通信機能を備えたＰＤＡ（Personal Digital(Data) Assistants）等に設けて好適な移動体通信端末装置に関する。
【背景技術】
【０００２】
今日におけるＰＤＣ方式（PDC：Personal Digital Cellular）の携帯電話機では、自局の登録がなされると、消費電力の低減を目的として７２０ｍｓ毎に受信を行う間欠受信を行う。
【０００３】
この間欠受信中には、スーパーフレーム（７２０ｍｓ）を構成する３６個のサブフレームのデータ（２０ｍｓ：１６０ビット）のうち、基地局から指定された所定のサブフレームのデータを選択的に受信する。このサブフレームには、報知情報（ＢＣＨ：Broadcast Control Channel）や一斉呼び出し情報（ＰＣＨ：Paging Channel）等が含まれており、その内容から、着信通知等の自局宛の情報の有無を判断する。
【０００４】
このような間欠受信時における、さらなる消費電力の低減を目的として、特許文献１（特開２００１−１８６０７７公報）に、移動体通信端装置が開示されている。
【０００５】
上記１６０ビットのサブフレームのデータは、いわゆるインターリーブ処理が施されているのであるが、この特許文献１に開示された移動体通信端末装置は、このサブフレームのデータをデインターリーブ処理する前に、該サブフレームのデータから計２１ビットのＭＳＩ（移動機識別子＝宛先アドレスデータ）の抽出を行う。そして、この抽出したＭＳＩに基づいて自局判定を行い、受信した情報が自局宛てであった場合は、該受信した情報に対応する処理を行い、受信した情報が自局宛てではなかった場合は、即座に受信動作を停止する。
【０００６】
このような移動体通信端末装置は、デインターリーブ処理後にＭＳＩを抽出して自局判定を行うよりも、デインターリーブ処理前にＭＳＩを抽出して自局判定を行うことができるため、少なくともデインターリーブ処理の時間分、早めに受信動作を停止することができ、間欠受信時における消費電力を低減することができる。
【０００７】
【特許文献１】特開２００１−１８６０７７公報（第５頁〜第６頁：図２〜図４）
【発明の開示】
【発明が解決しようとする課題】
【０００８】
しかし、ＲＣＲ  ＳＴＤ−２７（デジタル方式自動車電話システム標準規格）では、ＭＳＩ（移動機識別子＝宛先アドレスデータ）の代わりにＳＭＳＩ（短縮移動機識別子＝短縮化された宛先アドレスデータ）を割り当てることも規定されている。このため、従来の移動体通信端末装置のように、ＭＳＩに基づいて自局判定を行っていては、ＭＳＩの代わりにＳＭＳＩが割り当てられていた場合に自局判定の判定ミスが発生する。この判定ミスは、自局宛てのＭＳＩを、自局宛てのＭＳＩではないものと判定するものであるため、自局宛ての情報が送信された場合でも受信動作を停止してしまい、自局宛ての情報をも受信しない受信ミスを生ずることが懸念される。すなわち、ＭＳＩに基づいて受信停止制御を行っていては、このような受信ミスの発生で、正確な受信停止制御を行うことが困難となるのである。
【０００９】
また、上記ＭＳＩは、全２１ビットのデータで構成されるのあるが、ＰＤＣ方式の誤り訂正能力は１ビットとなっている。すなわち、２１ビットのデータのうち、１ビットしか、誤ったデータを訂正することができない。このため、上記ＭＳＩの全２１ビットのデータのうち、２ビット以上の誤りが生じていた場合、ＰＤＣ方式においては、これを訂正することができない。この点からも、ＭＳＩに基づいて受信停止制御を行っていては、前述のように正確な受信停止制御を行うことが困難となることがわかるであろう。
【００１０】
また、従来の移動体通信端末装置は、上記ＭＳＩに基づく自局判定の判定結果をＣＰＵに供給し、この判定結果に基づいてＣＰＵが受信停止制御を行っていた。このため、ＣＰＵが、この判定結果を処理することとなり、この判定結果の処理に無駄な電力が消費される問題もある。
【００１１】
本発明は、上述の課題に鑑みてなされたものであり、受信の要／不要をＣＰＵを起動することなく正確に判断して受信動作を停止制御することで消費電力の削減を図ることができるような移動体通信端末装置の提供を目的とする。
【課題を解決するための手段】
【００１２】
本発明は、一つのブロックの情報から形成された複数のユニットの情報と、各ユニットに対してそれぞれ付加された、少なくとも当該ユニットに含まれるメッセージの有無を示す信号構成情報とを送信する通信システムに適用される。そして、以下に説明する受信手段と、情報処理手段と、判別手段と、制御手段との特徴的な手段を、上述の課題を解決するための手段として有する。
【００１３】
具体的には、受信手段により、上記一つのブロックの情報から形成された複数のユニットの情報と、各ユニットに対してそれぞれ付加された、少なくとも当該ユニットに含まれるメッセージの有無を示す信号構成情報とが受信されると、判別手段が、上記各情報のうち、少なくとも信号構成情報に基づいて、この信号構成情報が付加されたユニットにメッセージが含まれているか否かを判別する。
【００１４】
制御手段は、判別手段から上記メッセージが含まれていることを示す判別結果が供給された場合に起動し、上記受信手段の受信処理、及びこの受信手段で受信された上記信号構成情報及び各ユニットの情報に対応する情報処理を行う情報処理手段の情報処理を制御する。
【００１５】
これにより、上記信号構成情報が付加されたユニットにメッセージが含まれている場合のみ、制御手段を起動することができる。換言すれば、上記信号構成情報が付加されたユニットにメッセージが含まれていない場合は、制御手段を停止させておくことができる。このため、メッセージが含まれていないユニットを受信した場合に制御手段が起動され、無駄に電力が消費される不都合を防止することができる。
【００１６】
また、本発明は、上述の課題を解決するための手段として、前述の各手段に加え、電力停止制御手段を有する。この電力停止制御手段は、上記判別手段から、上記メッセージが含まれていないことを示す判別結果が供給された際に、上記受信手段及び上記情報処理手段に供給する電力を停止制御する。これにより、メッセージが含まれていないユニットを受信するために、受信手段で無駄に電力が消費される不都合を防止することができると共に、メッセージが含まれていないユニットの情報処理のために、上記情報処理手段で無駄に電力が消費される不都合を防止することができる。
【００１７】
ここで、電波環境の悪い場所では、上記信号構成情報が正確に受信されないことが懸念される。そして、信号構成情報が正確に受信されない場合には、メッセージが含まれているユニットを受信したにもかかわらず、そのユニットがメッセージを含んでいないものとして処理する誤動作の恐れがある。換言すれば、電波環境の悪いときには、上記判別手段の判別結果が疑わしいものとなる。
【００１８】
このため、本発明は、前述の各手段に加え、電界強度を検出する電界強度検出手段を有する。そして、上記電力停止制御手段は、上記電界強度検出手段で検出された電界強度が所定の電界強度以上の電界強度であった場合のみ、上記判別手段から、上記メッセージが含まれていないことを示す判別結果が供給された際に、上記受信手段及び上記情報処理手段に供給する電力を停止制御する。また、上記制御手段は、上記電界強度検出手段で検出された電界強度が所定の電界強度よりも低い電界強度であった場合は、上記判別手段からの判別結果に関わらず起動して、上記受信手段の受信処理、及び上記情報処理手段の情報処理を制御する。
【００１９】
これにより、上記判別手段の判別結果が疑わしい場合には、強制的に受信処理及び情報処理を実行することができ、メッセージが含まれているユニットが、メッセージを含んでいないものとして処理される誤動作を防止することができる。
【発明の効果】
【００２０】
本発明は、信号構成情報の解析を行うことで、不要の場合は、制御手段を起動させず、また、情報処理手段に供給する電源を停止制御することで、消費電力の削減を図ることができる。
【００２１】
また、本発明は、電波環境が悪い場合は、強制的に受信処理及び情報処理を実行制御することで、メッセージが含まれているユニットが、メッセージを含んでいないものとして処理される誤動作を防止することができる。
【発明を実施するための最良の形態】
【００２２】
本発明は、ＰＤＣ方式（PDC：Personal Digital Cellular）の携帯電話機に適用することができる。
【００２３】
［携帯電話機の構成］
この携帯電話機は、図１に示すようにアンテナ１、アンテナスイッチ２（＝アンテナ共用器（ＤＵＰ））、受信回路３（Ｒｘ）、送信回路４（Ｔｘ）、シンセサイザ回路５（ＳＹＮ）、モデム部６、ＴＤＭＡ部７、コーデック８、Ａ−Ｄ／Ｄ−Ａコンバータ９、スピーカ部１０、マイクロホン部１１、データディテクタ１２、電源１３、パワーコントローラ１４、ＲＯＭ１５、ＲＡＭ１６、制御部１７（ＣＰＵ）、表示部１８（ＬＣＤ）、キー操作部１９、及び電界強度判定部３０を有している。
【００２４】
モデム部６、ＴＤＭＡ部７、データディテクタ１２、パワーコントローラ１４、電界強度判定部３０、ＲＯＭ１５、ＲＡＭ１６、表示部１８、及びキー操作部１９は、バスライン２０を介してＣＰＵ１７に接続されている。
【００２５】
〔データディテクタの構成〕
データディテクタ１２は、ＴＤＭＡ部７からの受信データを格納する受信データ格納メモリ２２と、後述する待ち受け時に間欠受信されたサブフレームのデータに付加された信号構成情報のうち、所定のデータ配列となっている信号構成情報を検出するための比較データが格納された比較データ格納メモリ２３を有している。
【００２６】
また、データディテクタ１２は、受信データ格納メモリ２２に格納された受信データ及び上記比較データ格納メモリ２３に格納された比較データとを比較処理する比較器２４と、この比較器２４における比較タイミングを制御するためのタイミングクロックを生成するタイミング生成部２１と、比較器２４からの比較出力をＣＰＵ１７及びパワーコントローラ１４に供給するＣＰＵバスインターフェィス２５（ＣＰＵバスＩＦ）を有している。
【００２７】
なお、ＣＰＵバスＩＦ２５には、上記電界強度判定部３０からの電界強度判定出力が供給されており、ＣＰＵバスＩＦ２５は、電界強度が所定の電界強度よりも低い場合、比較器２４からの比較出力に関わらず、ＣＰＵ１７を強制的に起動する情報を該ＣＰＵ１７に供給するようになっている。詳しくは、後述する。
【００２８】
［携帯電話機の一般的な動作］
（受信動作）
このような携帯電話機は、受信時において、無線基地局から無線通話チャネルを介して送信された無線周波信号は、アンテナ１で受信され、電波−電気信号変換がなされた後、アンテナスイッチ２を介して受信回路３に供給される。
【００２９】
受信回路３は、ＣＰＵ１７の制御に基づいてシンセサイザ回路４から供給されたローカル信号を用いて、上記無線周波信号をミキシングダウンすることで、ＱＰＳＫ変調処理されたＩＦ周波信号を形成する。そして、このＩＦ周波信号に対して直交復調処理を施し、これをモデム部６に供給する。
【００３０】
モデム部６は、この直交復調処理がなされたＩＦ周波信号を遅延検波すると共に、フレーム同期の確立、及びカラーコードの検出を行うことで伝送データを再生する。そして、この伝送データをＴＤＭＡ部７に供給する。
【００３１】
ＴＤＭＡ部７は、この伝送データを、時分割多重されている各チャネルの伝送データに分離し、自局（当該携帯電話機）で受信すべきチャネルの伝送データのみを選択的に抽出する。そして、この抽出した伝送データをコーデック８に供給する。
【００３２】
コーデック８は、この抽出された伝送データに対して、デインタリーブ処理及び誤り訂正処理を施すことで通話データを再生し、この通話データを、Ａ−Ｄ／Ｄ−Ａコンバータ９を介してスピーカ部１０に供給する。これにより、スピーカ部１０を介して受話音声の音響出力が得られることとなる。
【００３３】
（送信動作）
次に、送信時において、ユーザが発声した音声は、マイクロホン部１１で送話音声信号に変換され、Ａ−Ｄ／Ｄ−Ａコンバータ９を介してコーデック８に供給される。
【００３４】
コーデック８は、この送話音声信号に対してＶＳＥＬＰ符号化処理、誤り訂正符号化処理及びインタリーブ処理を施すことで、無線区間を伝送させるための伝送データを形成し、これをＴＤＭＡ部７に供給する。
【００３５】
ＴＤＭＡ部７は、無線回線上の所定のタイムスロットに挿入するべく、この伝送データに対して速度変換処理を施すと共に、出力タイミングを制御してモデム部６に供給する。モデム部６は、この伝送データに、フレーム信号やカラーコード信号を付加すると共に、マッピング処理を施すことでＩＦ周波信号を形成する。そして、このＩＦ周波信号を送信回路４に供給する。
【００３６】
送信回路４は、このＩＦ周波信号に対して直交変調処理を施し、さらにＣＰＵ１７の制御に基づいてシンセサイザ回路５から供給されるローカル信号を用いてミキシングアップすることで、所定の送信周波数の無線周波信号を形成する。そして、この無線周波信号をアンテナスイッチ２及びアンテナ１に供給する。これにより、通話音声が無線基地局に対して送信されることとなる。
【００３７】
［待ち受け時におけるバッテリーセービング動作］
次に、このようなＰＤＣ方式の携帯電話機は、システム網から指定された制御チャネルが起動すると（位置登録が終了すると）、ＣＰＵ１７が待ち受けモードに移行し、以後、例えば７２０ｍｓｅｃ毎に１回、基地局からのデータを間欠的に受信することで消費電力の削減を図る。
【００３８】
具体的には、パワーコントローラ１４は、上記７２０ｍｓｅｃに１回の受信時には、受信系（アンテナスイッチ２、受信回路３、シンセサイザ回路５、モデム部６、ＴＤＭＡ部７、コーデック８、Ａ−Ｄ／Ｄ−Ａコンバータ９、データディテクタ１２、電界強度判定部３０等）に電源１３からの電力を供給することで駆動状態とし、この受信時以外の時は、上記受信系に供給する電力を停止制御することで、該受信系を停止状態として消費電力の削減を図る。
【００３９】
ここで、このような間欠受信時には、スーパーフレーム（７２０ｍｓ）を構成する３６個のサブフレームのデータ（２０ｍｓ：１６０ビット）のうち、基地局から指定されたサブフレームのデータを選択的に受信するのであるが、このサブフレーム（ユニット）は、図３に示すようにＭＳＩ（移動機識別子＝宛先アドレスデータ）が挿入されるアドレスフィールド、制御情報が挿入される制御フィールド、及び所定の情報が挿入される情報フィールド等を有するユニット本体と、このユニット本体に対して付加された８ビットの信号構成情報Ｗとで構成されている。
【００４０】
なお、ユニット本体は、分割される場合もある。この場合、上記アドレスフィールド、上記制御フィールド及び上記情報フィールドは、複数のユニットに跨って設けられることとなる。そして、この場合の分割ユニット数は、上記信号構成情報Ｗで示されるようになっている。
【００４１】
また、この図３における「ＡＣ」はＩＤ制御を、「ＡＩ」はＩＤ表示を、「ＳＡＰＩ」はサービスアクセスポイント識別子を、また「ＥＡ」はアドレスフィールド拡張ビットをそれぞれ示している。
【００４２】
上記信号構成情報Ｗの信号構成は、デジタル方式自動車電話システム標準規格（ＲＣＲ  ＳＴＤ−２７）で規定されている。
【００４３】
具体的には、この信号構成情報Ｗの第８ビット（Ｆ１）には、そのユニットが先頭ユニットであるか否かを示す情報を挿入することが規定されており、そのユニットが先頭ユニットである場合は「１」が挿入され（Ｆ１＝１）、そのユニットが先頭ユニットではない場合は「０」が挿入されるようになっている（Ｆ１＝０）。
【００４４】
また、この信号構成情報Ｗの第７ビット（Ｆ２）には、そのユニットが最終ユニットであるか否かを示す情報を挿入することが規定されており、そのユニットが最終ユニットである場合は「１」が挿入され（Ｆ２＝１）、そのユニットが最終ユニットではない場合は「０」が挿入されるようになっている（Ｆ２＝０）。
【００４５】
また、第１ビット〜第６ビットには、そのユニットが最終ユニットである場合（Ｆ２＝１の場合）は、有効バイト数を示す情報を挿入することが規定されており、そのユニットが最終ユニットではない場合（Ｆ２＝０の場合）は、残りユニット数を示す情報を挿入することが規定されている。
【００４６】
また、上記ＲＣＲ  ＳＴＤ−２７の規定では、音声データの待ち受け時において、ユニット本体に対してメッセージが存在しない場合、信号構成情報Ｗの全８ビットに対して全て「０」を挿入することが規定されている。
【００４７】
しかし、ユニット本体に対してメッセージが存在しない場合、該ユニットの受信を行うことは、その受信に無駄な電力を消費することを意味する。このため、当該実施の形態の携帯電話機では、信号構成情報Ｗの全８ビットに対して全て「０」が挿入されていた場合、受信動作を停止することで、間欠受信時における、さらなる消費電力の削減を図っている。
【００４８】
具体的には、間欠受信時において、上記信号構成情報Ｗとユニット本体からなる受信データが受信されると、ＴＤＭＡ部７から、この受信データが受信データメモリ２２に供給され格納される。
【００４９】
比較データメモリ２３には、ユニット本体に対してメッセージが存在しないことを示す信号構成情報Ｗのデータ、すわなち、全８ビットが「０」のデータ（００００００００）が格納されている。
【００５０】
比較器２４は、タイミング生成部２１で生成されたタイミングで、上記受信データの信号構成情報Ｗと、比較データメモリ２３に格納されている全８ビットが「０」のデータとを比較する。そして、例えば両者が一致した場合は「０」の比較出力を、また、両者が一致しなかった場合は「１」の比較出力をＣＰＵバスＩＦ２５を介してＣＰＵ１７及びパワーコントローラ１４にそれぞれ供給する。
【００５１】
「１」の比較出力が供給された場合、すなわち、信号構成情報Ｗの全８ビットが「０」ではなかった場合、ユニット本体に対してメッセージが存在することを意味するため、パワーコントローラ１４は、受信動作を継続して実行するように上記受信系に対して電力の供給を継続して行う。また、ＣＰＵ１７は、この「１」の比較出力で起動し、モデム部６やＴＤＭＡ部７等におけるデータ処理を制御する。これにより、間欠的に受信された受信データがデータ処理されることとなる。
【００５２】
これに対して、「０」の比較出力が供給された場合、すなわち、信号構成情報Ｗの全８ビットが「０」であった場合、ユニット本体に対してメッセージが存在しないことを意味するため、パワーコントローラ１４は、受信データの受信中であっても、上記受信系に対して供給している電力を停止制御する。また、ＣＰＵ１７は、この「０」の比較出力が供給された場合は非起動状態のままとなる。
【００５３】
これにより、ユニット本体に対してメッセージが存在しない場合に、該ユニット本体を受信し終わる前に、信号構成情報Ｗの全８ビットが「０」であることが検出されたタイミングで、受信系を停止制御することができ、間欠受信時における消費電力のさらなる削減を図ることができる。
【００５４】
また、信号構成情報Ｗの全８ビットが「０」であった場合には、ＣＰＵ１７は起動しないため、上記ユニット本体にメッセージが含まれていない場合は、ＣＰＵ１７を停止させておくことができる。このため、メッセージが含まれていないユニットを受信した場合にＣＰＵ１７が起動され、無駄に電力が消費される不都合を防止して、間欠受信時における消費電力のさらなる削減を図ることができる。
【００５５】
なお、この例では、ＴＤＭＡ部７からの受信データを受信データ格納メモリに格納し、タイミング生成部２１で生成されたタイミングで、比較データ（上記オール０のデータ）と比較することとしたが、これは、ＴＤＭＡ部７は、受信データから上記８ビットの信号構成情報Ｗを抽出し、これを比較器２４に供給するようにしてもよい。この場合、比較器２４は、ＴＤＭＡ部７から上記８ビットの信号構成情報Ｗが供給されたタイミングで、上記比較データ格納メモリ２３に格納されている比較データとの比較を行うこととなる。従って、データディテクタ１２から、タイミング生成部２１及び受信データ格納メモリ２２を省略することができる。
【００５６】
〔電界強度に応じた電力停止制御の制限〕
ここで、ＰＤＣ方式の誤り訂正能力は１ビットとなっており、受信したデータに対して２ビット以上の誤りが生じていた場合、これを訂正することができないのであるが、電波環境の悪い場所では、受信した上記８ビットの信号構成情報Ｗに２ビット以上の誤りが発生することが懸念される。
【００５７】
信号構成情報Ｗに２ビット以上の誤りが発生した場合、前述の比較器２４の比較処理において、正確に受信された信号構成情報Ｗとの比較がなされないこととなるため、ユニット本体にメッセージが存在するにもかかわらず、これを存在しないものと判別して誤動作するおそれがある。
【００５８】
このため、この携帯電話機では、図１に示す電界強度判定部３０が、現在の電界強度を検出し、例えばＲＯＭ１５等に記憶されている所定の閾値と比較する。そして、現在の電界強度が、この所定の閾値以上であるか否かを示す電界強度判定出力を、図２に示すＣＰＵバスＩＦ２５に供給する。
【００５９】
ＣＰＵバスＩＦ２５は、現在の電界強度が上記所定の閾値以上であることを示す電界強度判定出力が供給された場合、比較器２５からの比較出力を、そのままＣＰＵ１７及びパワーコントローラ１４に供給する。これにより、前述のようにユニット本体のメッセージの有無に応じて受信系に対する電力供給制御が行われる。
【００６０】
これに対して、現在の電界強度が上記所定の閾値よりも低いことを示す電界強度判定出力が供給され、かつ、ユニット本体にメッセージが存在しないことを示す比較出力が比較器２５から供給された場合（＝信号構成情報Ｗがオール０であることを示す比較出力が供給された場合）、この比較器２５における比較結果が誤っている可能性があるため、ＣＰＵバスＩＦ２５は、ユニット本体にメッセージが存在しないことを示す上記「０」の比較出力を、ユニット本体にメッセージが存在することを示す上記「１」の比較出力に変換してＣＰＵ１７及びパワーコントローラ１４に供給することで、該ＣＰＵ１７を強制的に起動させると共に、上記受信系に対する電力供給を継続して実行させる。
【００６１】
これにより、電界強度が弱く、上記比較器２４の比較結果が疑わしい場合には、強制的に受信処理及び情報処理を実行することができ、メッセージが含まれているユニットが、メッセージを含んでいないものとして処理される誤動作を防止することができる。
【００６２】
［実施の形態の効果］
以上の説明から明らかなように、この実施の形態の携帯電話機は、間欠受信時に受信されるユニットに付加された信号構成情報Ｗが全て０であった場合に、受信系に対する電力供給を停止制御する。また、この場合、ＣＰＵ１７は、非起動状態のままとなる。
【００６３】
このため、間欠受信時に、メッセージが存在しないユニットを受信処理する不都合を防止することができ、該間欠受信時における、さらなる消費電力の削減を図ることができる。
【００６４】
また、電界強度が所定の電界強度よりも低かった場合、ユニットの受信を停止させる比較結果が得られた場合でも、強制的に受信系に対して電力を供給して受信動作を継続させると共に、ＣＰＵ１７を起動状態とする。
【００６５】
これにより、電界強度が弱く、上記比較器２４の比較結果が疑わしい場合に、強制的に受信処理及び情報処理を実行することができ、メッセージが含まれているユニットが、メッセージを含んでいないものとして処理される誤動作を防止することができる。
【００６６】
なお、ユーザパケットチャネル（ＵＰＣＨ）では、上記信号構成情報Ｗがオール０の場合でもアイドルユニットとしてユニット本体にメッセージが存在する場合がある。このため、このような特定のモードの場合には、上記ＣＰＵバスＩＦ２５は、ユニット本体にメッセージが存在しないことを示す比較出力が比較器２５から供給された場合でも（＝信号構成情報Ｗがオール０であることを示す比較出力が供給された場合でも）、ユニット本体にメッセージが存在することを示す上記「１」の比較出力をＣＰＵ１７及びパワーコントローラ１４に供給する。
【００６７】
これにより、ＣＰＵ１７を強制的に起動させると共に、上記受信系に対する電力供給を継続して実行することができ、アイドルユニットとしてユニット本体にメッセージが存在するユーザパケットチャネル（ＵＰＣＨ）を正確に判別してデータ処理することができ、不要な情報の受信時にはＣＰＵ１７を停止制御すると共に受信系に対する電力供給を停止制御して消費電力の削減を図ることができる。
【００６８】
また、上述の実施の形態の説明では、本発明を携帯電話機に適用することとしたが、これは、ノート型のパーソナルコンピュータ装置等に接続される通信モデムに適用してもよい。
【００６９】
最後に、上述の実施の形態は、本発明の一例である。このため、本発明は、上述の実施の形態に限定されることはなく、上述の実施の形態以外であっても、本発明に係る技術的思想を逸脱しない範囲であれば、設計等に応じて種々の変更が可能であることを付け加えておく。
【図面の簡単な説明】
【００７０】
【図１】本発明を適用した実施の形態となる携帯電話機のブロック図である。
【図２】実施の形態の携帯電話機に設けられているデータディテクタのブロック図である。
【図３】実施の形態の携帯電話機で受信される信号構成情報を説明するための図である。
【符号の説明】
【００７１】
１  アンテナ、２  アンテナスイッチ、３  受信部、４  送信部、５  ＰＬＬシンセサイザ部、６  モデムブロック、７  ＴＤＭＡブロック、８  コーデック、９  Ｄ−Ａ／Ａ−Ｄコンバータ、１０  スピーカ部、１１  マイクロホン部、１２  データディテクタ、１３  電源、１４  パワーコントローラ、１５  ＲＯＭ、１６  ＲＡＭ、１７  制御部（ＣＰＵ）、１８  表示部（ＬＣＤ）、１９  キー操作部、２０  バスライン、２１  タイミング生成部、２２  受信データ格納メモリ、２３  比較データ格納メモリ、２４  比較器、２５  ＣＰＵバスＩＦ、３０  電界強度判定部
【図１】
2005159946.tif 000003
【図２】
2005159946.tif 000004
【図３】
2005159946.tif 000005